【手続補正書】
【提出日】平成19年12月12日(2007.12.12)
【手続補正１】
【補正対象書類名】明細書
【補正対象項目名】特許請求の範囲
【補正方法】変更
【補正の内容】
【特許請求の範囲】
【請求項１】
高度に伸縮自在な非晶質異方性溶融体形成ポリマーを形成するための方法であって、
【化１】
2001226471.tif 000001
〔式中、Ｒ1は、独立に、水素；および、Ｃ1−Ｃ6アルキルからなる群より選択される。〕
からなる群より選択される少なくとも１つのさらなる単位と組み合わさった、
【化２】
2001226471.tif 000002
から本質的になる繰り返し単位Ｖを、
繰り返し単位Ｉ、ＩＩ、ＩＩＩおよびＩＶを含み、
繰り返し単位Ｉが、
【化３】
2001226471.tif 000003
であり；
繰り返し単位ＩＩが、
【化４】
2001226471.tif 000004
であり；
繰り返し単位ＩＩＩが、
【化５】
2001226471.tif 000005
〔式中、Ａｒ1は、
【化６】
2001226471.tif 000006
およびそれらの混合物からなる群より選択される。〕
であり；
繰り返し単位ＩＶが、
【化７】
2001226471.tif 000007
〔式中、Ａｒ2は、
【化８】
2001226471.tif 000008
およびそれらの混合物からなる群より選択され、Ｘは、独立に、ＯおよびＮＲ2（ここで、Ｒ2は、独立に、水素；および、Ｃ1−Ｃ6アルキルからなる群より選択される。）からなる群より選択される。〕
であるポリマーに配合することを含み、
本質的に、約１５〜約６０ｍｏｌ％の繰り返し単位Ｉ；約１５〜約６０ｍｏｌ％の繰り返し単位ＩＩ；約５〜約２０ｍｏｌ％の繰り返し単位ＩＩＩ；約５〜約２０ｍｏｌ％の繰り返し単位ＩＶ；および、約７〜約１５ｍｏｌ％の繰り返し単位Ｖからなり；かつ、
（ａ）繰り返し単位ＩおよびＩＩは、合わせて、ポリマー中に、約５０〜約７５ｍｏｌ％の量存在し；
（ｂ）ポリマーは、式：
【化９】
2001226471.tif 000009
で表される繰り返し単位を少なくとも約５ｍｏｌ含有するが、
ただし、単位（Ｖｃ）も存在し、そして単位（Ｖａ）、（Ｖｂ）、（Ｖｄ）および（Ｖｅ）が組み合わさってポリマーの約５ｍｏｌ％以下を構成する場合には、繰り返し単位ＩＩが、ポリマー中に、少なくとも約３０ｍｏｌ％の量存在するポリマーを生ずる、前記方法。
【請求項２】
繰り返し単位Ｖが
【化１０】
2001226471.tif 000010
の少なくとも１つと組み合わさった、
【化１１】
2001226471.tif 000011
からなる、請求項１に記載の方法。
【請求項３】
繰り返し単位Ｖが、
【化１２】
2001226471.tif 000012
と組み合わさった、
【化１３】
2001226471.tif 000013
からなる、請求項１に記載の方法。
【請求項４】
繰り返し単位Ｖが、ポリマー中に、約１０〜約１５ｍｏｌ％の量存在する、請求項１に記載の方法。
【請求項５】
繰り返し単位Ｖが、ポリマー中に、約１０〜約１５ｍｏｌ％の量存在する、請求項２に記載の方法。
【請求項６】
繰り返し単位ＩＶが、
【化１４】
2001226471.tif 000014
である、請求項１に記載の方法。
【請求項７】
繰り返し単位ＩＶが、
【化１５】
2001226471.tif 000015
である、請求項２に記載の方法。
【請求項８】
繰り返し単位ＩＩＩが、
【化１６】
2001226471.tif 000016
である、請求項１に記載の方法。
【請求項９】
繰り返し単位ＩＶが、
【化１７】
2001226471.tif 000017
であり；
繰り返し単位ＩＩＩが、
【化１８】
2001226471.tif 000018
である、請求項２に記載の方法。
【請求項１０】
繰り返し単位ＩＩＩが、
【化１９】
2001226471.tif 000019
およびそれらの混合物からなる群より選択される、請求項２に記載の方法。
【請求項１１】
繰り返し単位ＩＩＩが、
【化２０】
2001226471.tif 000020
およびそれらの混合物からなる群より選択される、請求項７に記載の方法。
【請求項１２】
繰り返し単位Ｉが、ポリマー中に、約３０〜約３５ｍｏｌ％の量存在し；繰り返し単位ＩＩが、ポリマー中に、約３０〜約３５ｍｏｌ％の量存在し；繰り返し単位ＩＩＩが、ポリマー中に、約１０〜約１５ｍｏｌ％の量存在し；繰り返し単位ＩＶが、ポリマー中に、約１０〜約１５ｍｏｌ％の量存在し；繰り返し単位Ｖが、ポリマー中に、約１０〜約１５ｍｏｌ％の量存在する、請求項１に記載の方法。
【請求項１３】
繰り返し単位Ｉが、ポリマー中に、約３０〜約３５ｍｏｌ％の量存在し；繰り返し単位ＩＩが、ポリマー中に、約３０〜約３５ｍｏｌ％の量存在し；繰り返し単位ＩＩＩが、ポリマー中に、約１０〜約１５ｍｏｌ％の量存在し；繰り返し単位ＩＶが、ポリマー中に、約１０〜約１５ｍｏｌ％の量存在し；繰り返し単位Ｖが、ポリマー中に、約１０〜約１５ｍｏｌ％の量存在する、請求項２に記載の方法。
【請求項１４】
繰り返し単位Ｉが、ポリマー中に、約３０〜約３５ｍｏｌ％の量存在し；繰り返し単位ＩＩが、ポリマー中に、約３０〜約３５ｍｏｌ％の量存在し；繰り返し単位ＩＩＩが、ポリマー中に、約１０〜約１５ｍｏｌ％の量存在し；繰り返し単位ＩＶが、ポリマー中に、約１０〜約１５ｍｏｌ％の量存在し；繰り返し単位Ｖが、ポリマー中に、約１０〜約１５ｍｏｌ％の量存在する、請求項１１に記載の方法。
【請求項１５】
Ｖが、
【化２１】
2001226471.tif 000021
及び
【化２２】
2001226471.tif 000022
の混合物からなる、請求項１４に記載の方法。
【請求項１６】
高度に伸縮自在な非晶質異方性溶融体形成ポリマーであって、繰り返し単位Ｉ、ＩＩ、ＩＩＩ、ＩＶおよびＶから本質的になり、
繰り返し単位Ｉが、
【化２３】
2001226471.tif 000023
であり；
繰り返し単位ＩＩが、
【化２４】
2001226471.tif 000024
であり；
繰り返し単位ＩＩＩが、
【化２５】
2001226471.tif 000025
〔式中、Ａｒ1は、
【化２６】
2001226471.tif 000026
およびそれらの混合物からなる群より選択される。〕
であり；
繰り返し単位ＩＶが、
【化２７】
2001226471.tif 000027
〔式中、Ａｒ2は、
【化２８】
2001226471.tif 000028
およびそれらの混合物からなる群より選択され、Ｘは、独立に、ＯおよびＮＲ2（ここで、Ｒ2は、独立に、水素；および、Ｃ1〜Ｃ6アルキルからなる群より選択される。）からなる群より選択される。〕
であり；
繰り返し単位Ｖが、
【化２９】
2001226471.tif 000029
〔ここでＲ1は、独立に、水素；および、Ｃ1〜Ｃ6アルキルからなる群より選択される。〕
からなる群より選択される少なくとも１つのさらなる単位と組み合わさった、式：
【化３０】
2001226471.tif 000030
で表されるジオキシ単位であり；
繰り返し単位Ｉが、ポリマー中に、約１５〜約６０ｍｏｌ％の量存在し；繰り返し単位ＩＩが、ポリマー中に、約１５〜約６０ｍｏｌ％の量存在し；繰り返し単位ＩＩＩが、ポリマー中に、約５〜約２０ｍｏｌ％の量存在し；繰り返し単位ＩＶが、ポリマー中に、約５〜約２０ｍｏｌ％の量存在し；繰り返し単位Ｖが、ポリマー中に、約７〜約１５ｍｏｌ％の量存在し；かつ、
（ａ）繰り返し単位ＩおよびＩＩは、合わせて、ポリマー中に、約５０〜約７５ｍｏｌ％の量存在し；
（ｂ）ポリマーは、式：
【化３１】
2001226471.tif 000031
で表される繰り返し単位少なくとも約５ｍｏｌ％を含有するが、
ただし、単位（Ｖｃ）も存在し、そして単位（Ｖａ）、（Ｖｂ）、（Ｖｄ）および（Ｖｅ）が組み合わさってポリマーの約５ｍｏｌ％を構成する場合には、繰り返し単位ＩＩが、少なくとも約３０ｍｏｌ％の量存在する、前記ポリマー。
【請求項１７】
繰り返し単位Ｖが
【化３２】
2001226471.tif 000032
の少なくとも１つと組み合わさった、
【化３３】
2001226471.tif 000033
からなる、請求項１６に記載のポリマー。
【請求項１８】
繰り返し単位Ｖが、
【化３４】
2001226471.tif 000034
と組み合わさった、
【化３５】
2001226471.tif 000035
からなる、請求項１６に記載のポリマー。
【請求項１９】
繰り返し単位Ｖが、ポリマー中に、約１０〜約１５ｍｏｌ％の量存在する、請求項１６に記載のポリマー。
【請求項２０】
繰り返し単位Ｖが、ポリマー中に、約１０〜約１５ｍｏｌ％の量存在する、請求項１７に記載のポリマー。
【請求項２１】
繰り返し単位ＩＶが、
【化３６】
2001226471.tif 000036
である、請求項１６に記載のポリマー。
【請求項２２】
繰り返し単位ＩＶが、
【化３７】
2001226471.tif 000037
である、請求項１７に記載のポリマー。
【請求項２３】
繰り返し単位ＩＩＩが、
【化３８】
2001226471.tif 000038
である、請求項１６に記載のポリマー。
【請求項２４】
繰り返し単位ＩＶが、
【化３９】
2001226471.tif 000039
であり；
繰り返し単位ＩＩＩが、
【化４０】
2001226471.tif 000040
である、請求項１７に記載のポリマー。
【請求項２５】
繰り返し単位ＩＩＩが、
【化４１】
2001226471.tif 000041
およびそれらの混合物からなる群より選択される、請求項１７に記載のポリマー。
【請求項２６】
繰り返し単位ＩＩＩが、
【化４２】
2001226471.tif 000042
およびそれらの混合物からなる群より選択される、請求項２２に記載のポリマー。
【請求項２７】
繰り返し単位Ｉが、ポリマー中に、約３０〜約３５ｍｏｌ％の量存在し；繰り返し単位ＩＩが、ポリマー中に、約３０〜約３５ｍｏｌ％の量存在し；繰り返し単位ＩＩＩが、ポリマー中に、約１０〜約１５ｍｏｌ％の量存在し；繰り返し単位ＩＶが、ポリマー中に、約１０〜約１５ｍｏｌ％の量存在し；繰り返し単位Ｖが、ポリマー中に、約１０〜約１５ｍｏｌ％の量存在する、請求項１６に記載のポリマー。
【請求項２８】
繰り返し単位Ｉが、ポリマー中に、約３０〜約３５ｍｏｌ％の量存在し；繰り返し単位ＩＩが、ポリマー中に、約３０〜約３５ｍｏｌ％の量存在し；繰り返し単位ＩＩＩが、ポリマー中に、約１０〜約１５ｍｏｌ％の量存在し；繰り返し単位ＩＶが、ポリマー中に、約１０〜約１５ｍｏｌ％の量存在し；繰り返し単位Ｖが、ポリマー中に、約１０〜約１５ｍｏｌ％の量存在する、請求項１７に記載のポリマー。
【請求項２９】
繰り返し単位Ｉが、ポリマー中に、約３０〜約３５ｍｏｌ％の量存在し；繰り返し単位ＩＩが、ポリマー中に、約３０〜約３５ｍｏｌ％の量存在し；繰り返し単位ＩＩＩが、ポリマー中に、約１０〜約１５ｍｏｌ％の量存在し；繰り返し単位ＩＶが、ポリマー中に、約１０〜約１５ｍｏｌ％の量存在し；繰り返し単位Ｖが、ポリマー中に、約１０〜約１５ｍｏｌ％の量存在する、請求項２６に記載のポリマー。
【請求項３０】
Ｖが、
【化４３】
2001226471.tif 000043
と組み合わさった、
【化４４】
2001226471.tif 000044
からなる、請求項２９に記載のポリマー。
【請求項３１】
繰り返し単位Ｉ、ＩＩ、ＩＩＩ、ＩＶおよびＶから本質的になる、高度に伸縮自在な非晶質異方性溶融体形成ポリマーであり、
繰り返し単位Ｉが、
【化４５】
2001226471.tif 000045
であり；
繰り返し単位ＩＩが、
【化４６】
2001226471.tif 000046
であり；
繰り返し単位ＩＩＩが、
【化４７】
2001226471.tif 000047
〔式中、Ａｒ1は、
【化４８】
2001226471.tif 000048
およびそれらの混合物からなる群より選択される。〕
であり；
繰り返し単位ＩＶが、
【化４９】
2001226471.tif 000049
〔式中、Ａｒ2は、
【化５０】
2001226471.tif 000050
およびそれらの混合物からなる群より選択される。〕
であり；
繰り返し単位Ｖが、
【化５１】
2001226471.tif 000051
〔ここで、Ｒ1は、独立に、水素；Ｃ1〜Ｃ6アルキルからなる群より選択される。〕
からなる群より選択される少なくとも１つのさらなる単位と組み合わさった、
【化５２】
2001226471.tif 000052
からなり；
前記ポリマーが、約２０〜約４０ｍｏｌ％の繰り返し単位Ｉ；約２０〜約４０ｍｏｌ％の繰り返し単位ＩＩ；約１０〜約１５ｍｏｌ％の繰り返し単位ＩＩＩ；約１０〜約１５ｍｏｌ％の繰り返し単位ＩＶ；および、約１０〜約１５ｍｏｌ％の繰り返し単位Ｖからなり；かつ、
（ａ）繰り返し単位ＩおよびＩＩは、合わせて、ポリマー中に、約６０〜約７０ｍｏｌ％の量存在し；
（ｂ）ポリマーが、式：
【化５３】
2001226471.tif 000053
で表される繰り返し単位を少なくとも約５ｍｏｌ％含有し；そして
（ｃ）ポリマーが、式：
【化５４】
2001226471.tif 000054
で表される繰り返し単位を少なくとも約５ｍｏｌ％含有する、前記ポリマー。
【請求項３２】
繰り返し単位Ｉ、ＩＩ、ＩＩＩ、ＩＶおよびＶから本質的になる高度に伸縮自在な非晶質異方性溶融体形成ポリマーであり、
繰り返し単位Ｉが、
【化５５】
2001226471.tif 000055
であり；
繰り返し単位ＩＩが、
【化５６】
2001226471.tif 000056
であり；
繰り返し単位ＩＩＩが、
【化５７】
2001226471.tif 000057
であり；
繰り返し単位ＩＶが、
【化５８】
2001226471.tif 000058
であり；
繰り返し単位Ｖが、
【化５９】
2001226471.tif 000059
の混合物からなり；
前記ポリマーが、約３０〜約３５ｍｏｌ％の繰り返し単位Ｉ；約３０〜約３５ｍｏｌ％の繰り返し単位ＩＩ；約１０〜約１５ｍｏｌ％の繰り返し単位ＩＩＩ；約１０〜約１５ｍｏｌ％の繰り返し単位ＩＶ；および、約１０〜約１５ｍｏｌ％の繰り返し単位Ｖを含有するポリマー。
【請求項３３】
請求項１７のポリマーから製造される造形物品。
【請求項３４】
請求項３１のポリマーから製造される造形物品。
【請求項３５】
請求項３２のポリマーから製造される造形物品。
【請求項３６】
請求項３３に記載の造形物品であって、多層構造体であり、当該非晶質異方性溶融体形成ポリマーがバリヤー層として存在する、前記造形物品。
【請求項３７】
請求項３４に記載の造形物品であって、多層構造体であり、当該非晶質異方性溶融体形成ポリマーがバリヤー層として存在する、前記造形物品。
【請求項３８】
請求項３５に記載の造形物品であって、多層構造体であり、当該非晶質異方性溶融体形成ポリマーがバリヤー層として存在する、前記造形物品。
【請求項３９】
請求項１７のポリマーより形成されるフィルム。
【請求項４０】
請求項３１のポリマーより形成されるフィルム。
【請求項４１】
請求項３２のポリマーより形成されるフィルム。